(57)【要約】【課題】  録画予約または視聴予約をする場合に、ユーザが所望する時間帯に対して多数の処理を介することなく予約や予約変更を容易に実行可能とする。【解決手段】  表示制御装置は、番組表示領域２０１に予約番組情報をもとに予約番組の一覧表示をさせる。カーソル２０８によって、番組表示領域２０１のセル２０６が選択されると予約可能番組表示ウィンドウ２１０が表示される。予約可能番組表示ウィンドウ２１０内には前記セルに対応した単位時間帯で予約可能な番組が表示される。ユーザがリモコン１２０のカーソル移動キー１２２〜１２５を操作することで、予約可能番組表示ウィンドウ２１０内の番組２１１がカーソル２１２で選択され、決定キー１２６が押下されると予約確認ウィンドウ２４０が表示される。この予約確認ウィンドウ２４０に含まれる予約設定項目をカーソル２４５で選択することで録画予約または視聴予約ができる。【選択図】  図５
2008078695.tif 000002
【特許請求の範囲】
【請求項１】
番組情報を含む番組ガイドデータが多重されてなる複数種別の放送信号を受信する受信手段と、
前記受信手段により受信した放送信号から番組ガイドデータを抽出する抽出手段と、
前記抽出手段により抽出した番組ガイドデータを格納する格納手段と、
前記格納手段により格納した番組ガイドデータから日付の軸と時刻の軸から規定される番組表を作成する番組表作成手段と、
入力信号を受信する入力手段と、
前記放送信号を表示する表示手段と、
前記表示手段を制御する表示制御手段と、を備え、
前記表示制御手段は前記入力手段により前記日付の軸と時刻の軸の交点に位置する領域が選択された入力信号を受信した場合、前記番組領域に該当する時刻における複数の放送種別の前記番組情報を表示するように制御することを特徴とする表示装置。
【請求項２】
請求項１に記載の表示装置において、
前記表示制御手段は前記番組情報が前記番組領域に付随するウィンドウ内に表示されるように制御することを特徴とする表示装置。
【請求項３】
請求項１または請求項２にいずれかに記載の表示装置において、
前記番組の録画予約をする録画予約手段を備え、
前記録画予約手段は前記入力手段により前記番組情報のうち１つが選択された入力信号を受信した場合、選択された番組を録画予約することを特徴とする表示装置。
【請求項４】
請求項１または請求項２にいずれかに記載の表示装置において、
前記番組の録画予約をする録画予約手段を備え、
前記表示制御手段は前記入力手段により選択された番組情報において重複する時刻に録画予約が入っていた場合、該録画予約を変更するか否かを選択する選択画面を表示するように制御することを特徴とする表示装置。
【請求項５】
請求項１または請求項２にいずれかに記載の表示装置において、
前記表示制御手段は前記前記入力手段により選択された番組領域表示に重複する時刻をもつ番組情報を表示するように制御することを特徴とする表示装置。
【請求項６】
請求項１または請求項２にいずれかに記載の表示装置において、
前記番組情報は番組の属性情報であることを特徴とする表示装置。
【請求項７】
請求項６に記載の表示装置において、
前記属性情報は放送種別または番組のジャンルであることを特徴とする表示装置。
【請求項８】
請求項１に記載の表示装置において、
前記入力手段はリモコンあるいは表示装置本体に備えられたキーからの入力信号を受信することを特徴とする表示装置。
【請求項９】
番組情報を含む番組ガイドデータが多重されてなる複数種別の放送信号を受信する受信手段と、
前記受信手段により受信した放送信号から番組ガイドデータを抽出する抽出手段と、
前記抽出手段により抽出した番組ガイドデータを格納する格納手段と、
前記格納手段により格納した番組ガイドデータから日付の軸と時刻の軸から規定される番組表を作成する番組表作成手段と、
入力信号を受信する入力手段と、
表示画面を制御する表示制御手段と、を備え、
前記表示制御手段は前記入力手段により前記日付の軸と時刻の軸の交点に位置する領域が選択された入力信号を受信した場合、前記番組領域に該当する時刻における複数の放送種別の前記番組情報を表示するように制御することを特徴とする表示制御装置。
【請求項１０】
請求項９に記載の表示制御装置において、
前記表示制御手段は前記番組情報が前記番組領域に付随するウィンドウ内に表示されるように制御することを特徴とする表示制御装置。
【請求項１１】
請求項９または請求項１０にいずれかに記載の表示制御装置において、
前記番組の録画予約をする録画予約手段を備え、
前記録画予約手段は前記入力手段により前記番組情報のうち１つが選択された入力信号を受信した場合、選択された番組を録画予約することを特徴とする表示制御装置。
【請求項１２】
請求項９または請求項１０にいずれかに記載の表示制御装置において、
前記番組の録画予約をする録画予約手段を備え、
前記表示制御手段は前記入力手段により選択された番組情報において重複する時刻に録画予約が入っていた場合、該録画予約を変更するか否かを選択する選択画面を表示するように制御することを特徴とする表示制御装置。
【請求項１３】
請求項９または請求項１０にいずれかに記載の表示制御装置において、
前記表示制御手段は前記前記入力手段により選択された番組領域表示に重複する時刻をもつ番組情報を表示するように制御することを特徴とする表示制御装置。
【請求項１４】
請求項９または請求項１０にいずれかに記載の表示制御装置において、
前記番組情報は番組の属性情報であることを特徴とする表示制御装置。
【請求項１５】
請求項１４に記載の表示制御装置において、
前記属性情報は放送種別であることを特徴とする表示制御装置。
【請求項１６】
請求項９に記載の表示制御装置において、
前記入力手段はリモコンあるいは表示装置本体に備えられたキーからの入力信号を受信することを特徴とする表示制御装置。
【請求項１７】
番組のジャンルを含む番組ガイドデータとともに複数種別の情報を受信する受信手段と、
前記受信手段により受信した情報から番組ガイドデータを抽出する抽出手段と、
前記抽出手段により抽出した番組ガイドデータを格納する格納手段と、
前記格納手段により格納した番組ガイドデータから日付の軸と時刻の軸から規定される番組表を作成する番組表作成手段と、
リモコンあるいは表示装置本体に備えられたキーからの入力信号を受信する入力手段と、
前記情報を表示する表示手段と、
前記表示手段を制御する表示制御手段と、を備え、
前記表示制御手段は前記入力手段により前記日付の軸と時刻の軸の交点に位置する番組領域が選択された入力信号を受信した場合、前記番組領域に該当する時刻における録画予約可能な前記番組のジャンルを表示するように制御することを特徴とする表示装置。
【請求項１８】
請求項１７に記載の表示装置において、
前記表示制御手段は前記入力手段により前記番組のジャンルが選択された入力信号を受信した場合、該ジャンルにおける録画予約可能な前記番組に関する情報を表示するように制御することを特徴とする表示装置。
【請求項１９】
請求項１８に記載の表示装置において、
前記番組の録画予約をする録画予約手段を備え、
前記録画予約手段は前記入力手段により前記番組に関する情報のうち１つが選択された入力信号を受信した場合、選択された番組を録画予約することを特徴とする表示制御装置。
【発明の詳細な説明】
【技術分野】
【０００１】
本発明は、デジタル放送を受信して取得した電子番組ガイドデータを用いて、電子番組ガイドの表示や、録画予約をした予約番組及び／または視聴予約をした予約番組の予約一覧表示などの表示を行う表示装置及びその制御を行う表示制御装置に関する。
【背景技術】
【０００２】
デジタル放送では、番組選択をするための電子番組ガイド（Electronic Program Guide：以下、「ＥＰＧ」という）データを、映像や音声などの番組データなどに多重化して伝送している。受信側では、受信したＥＰＧデータを抽出し、番組表（「ＥＰＧ」ともいう）として再構成し、番組選択や、録画予約や視聴予約の対象番組選択などが簡単に行えるようにしている。ここで、EPGデータには、番組の名称、放送時間、番組のジャンル、番組の放送種別、放送内容などの番組情報が含まれている。
【０００３】
録画予約や視聴予約の予約番組確認を視覚的に一瞥して把握できるようにした表示制御技術は、例えば、特許文献１に開示されている。
【０００４】
特許文献１は、番組表と共に、録画予約や視聴予約した番組の予約情報（以下、「予約番組情報」という）を時間軸で表示するための予約情報表示バーを表示可能とし、その予約情報表示バーを用いて、予約済番組の予約情報（以下、「予約済番組情報」という）を確認しながら予約できるようにした表示制御技術を開示する。
【０００５】
【特許文献１】特開２００５−１９１９４４号公報
【発明の開示】
【発明が解決しようとする課題】
【０００６】
しかし、上記の特許文献１では、番組表は放送種別毎に作成されており、ユーザが該番組表から番組予約をする場合には、画面全体の切替えを要し、ユーザにとって使い勝手が十分ではない。
【０００７】
本発明は、上記した事情に鑑みて成されたもので、その目的は、録画予約または視聴予約をする場合に、使い勝手のよい表示装置及び表示制御装置を提供することにある。
【課題を解決するための手段】
【０００８】
上記目的を達成する為に、本発明に係る表示装置は、番組情報を含む番組ガイドデータが多重されてなる複数種別の放送信号を受信する受信手段と、前記受信手段により受信した放送信号から番組ガイドデータを抽出する抽出手段と、前記抽出手段により抽出した番組ガイドデータを格納する格納手段と、前記格納手段により格納した番組ガイドデータから日付の軸と時刻の軸から規定される番組表を作成する番組表作成手段と、入力信号を受信する入力手段と、前記放送信号を表示する表示手段と、前記表示手段を制御する表示制御手段と、を備え、前記表示制御手段は前記入力手段により前記日付の軸と時刻の軸の交点に位置する番組領域が選択された入力信号を受信した場合、前記番組領域に該当する時刻における複数の放送種別の前記番組情報を表示するように制御するように構成する。該構成によれば、カレンダー状の番組表からの録画予約に際し、複数の放送種別の番組情報が同画面内に表示されるため、たとえば、録画予約の際に、画面全体の切り替えを要さずに予約可能番組の確認することが可能となる。
【発明の効果】
【０００９】
本発明によれば、録画予約または視聴予約をする場合に、使い勝手のよい表示装置及び表示制御装置を提供することができる。
【発明を実施するための最良の形態】
【００１０】
以下、本発明の最良の形態について、図面を参照しながら詳細に説明する。
【００１１】
図１は、本実施例に係わる表示制御装置の模式構成を示すブロック図である。
【００１２】
表示制御装置１００とテレビディスプレイ１４０は一体で表示装置をなしてもよいし、別体でもよい。
【００１３】
図１に示すように、表示制御装置１００は、不揮発性メモリ１１２に格納されているプログラムに従って演算制御処理を行う演算制御手段であるＣＰＵ（Central Processing Unit）１１０によって各構成要素が制御される構成となっている。また、表示制御装置１００は、リモートコントローラ（以下、「リモコン」と省略する）１２０により操作可能である。
【００１４】
図１において、図示しないアンテナ等で受信され、入力端子１０１より入力された放送波（例えば地上波デジタル放送波，ＢＳデジタル放送波，ＣＳデジタル放送波）信号は、表示制御装置１００のフロントエンド１０２へ送られる。フロントエンド１０２は、ユーザの選択した受信帯域に同調し、復調してトランスポートストリーム（ＴＳ：Transport Stream）形式でデータを分離部１０３へ供給する。分離部１０３は、入力されたデータから映像データと音声データとＥＰＧデータなどを抽出して分離する。そして、映像／音声データをＡ／Ｖデコーダ１０４へ供給する。また、ＥＰＧデータは、ＣＰＵ１１０の制御下においてＲＡＭ（Random Access Memory）１１１に格納される。
【００１５】
Ａ／Ｖデコーダ１０４は、映像データと音声データを復号する。そして、復号した音声信号をテレビディスプレイ１４０へ供給し、また、復号した映像信号を画像合成部１０５へ供給する。画像合成部１０５は、テレビディスプレイ１４０に表示される映像（番組映像）上に文字情報などを重畳させるＯＳＤ（オンスクリーンディスプレイ）機能を有する。また、映像信号に置き換えて、図示しない番組表画面や後述する録画／視聴予約の予約番組の予約一覧表画面をテレビディスプレイ１４０へ供給する。
【００１６】
ＣＰＵ１１０は、表示制御装置１００全体の制御を行うものである。例えば、分離部１０３で抽出されたＥＰＧデータをＲＡＭ１１１に格納する。そして、ＥＰＧデータに基づいて番組表データを作成し、画像合成部１０５を介してテレビディスプレイ１４０上に番組表（ＥＰＧ）を表示する。また、ユーザ操作によって、録画予約及び視聴予約を行い、録画予約や視聴予約の予約情報およびその予約情報に関連付けられた番組情報（予約番組情報）を不揮発性メモリ１１２に格納する。さらには、ユーザ操作によって、後述する録画／視聴予約の予約番組の予約一覧表データを作成し、画像合成部１０５を介してテレビディスプレイ１４０上に予約番組の一覧表である予約一覧表を表示する。ＣＰＵ１１０は、このような表示制御処理を行う。つまり、ＣＰＵ１１０は、表示制御を行う表示制御手段を構成する。なお、本実施例では、要旨をわかり易く説明するため、予約は１系統しか行えないものとするが、本実施例はこれに限定されるものではなく、もちろん複数系統でもよい。
【００１７】
不揮発性メモリ１１２は、ＣＰＵ１１０を動かすための各種プログラム、予約番組情報，番組表，予約一覧表などの表示を行う際に必要な種々のグラフィックデータ（例えば枠、スクロールマークなどの所定マーク）やフォントデータなどを格納する。
【００１８】
リモコンコード受信部１１３は、ユーザ操作によるリモコン１２０から送信された例えば赤外線コマンドを受信し、赤外線コマンドを電気信号のリモコンコードに変換し、ＣＰＵ１１０へ供給する。ＣＰＵ１１０は、これを受けて、コマンドすなわちリモコン１２０上のキー（ボタンともいう）に対応した所定の処理を行う。
【００１９】
図２は、本実施例に係わる表示制御装置をコントロールするリモコンの外観である。なお、図２では、本実施例に係わるキーについてのみ説明し、通常用いられるその他のキーの機能は明らかであり、その説明を省略する。
【００２０】
図２において、リモコン１２０に備えられた予約一覧キー１２１は、番組視聴状態のときにユーザによる押下で、後述する図３に示すような予約番組の予約一覧表の表示をＣＰＵ１１０に指示するキーである（図３については後述する）。また、図３の予約一覧表が表示されている時に予約一覧キー１２１が押下されると番組視聴状態に戻る。リモコン１２０のほぼ中央に位置しているカーソル移動キー１２２〜１２５は、表示されたカーソルを上下左右方向に移動させるキーである。例えば、後述する図３の予約一覧表の表示画面に表示される項目を選択する際に押下するキーである。また、決定キー１２６は操作の決定や選択肢の選択をする際に押下するキーである。なお、番組表キー１２７は、図示しない番組表を表示させるときに操作されるキーである。また、リモコンで行われる操作は表示制御装置本体に備えられたキー（図示しない）で行うことも可能である。
【００２１】
図３は、表示制御装置における一実施例による予約一覧表の表示画面を示す図である。
【００２２】
ユーザによって、予約済の録画予約や視聴予約の予約情報を確認するためにリモコン１２０の予約一覧キー１２１が押下されと、予約番組の一覧表である予約一覧表の表示画面がテレビディスプレイ１４０に表示される。
【００２３】
図３において、本実施例による予約一覧表２００は、番組表示領域２０１と、番組表示領域２０１の周縁部の図紙面左側端に配置された放送時間帯表示領域２０２と、番組表示領域２０１の周縁部の図紙面上側端に配置された一週間分の曜日帯表示領域２０３と、曜日帯表示領域２０３の上側に近接して配置された詳細番組情報表示欄２２０とを含んでなる。
【００２４】
放送時間帯表示領域２０２は、所定の単位時間幅（ここでは１時間単位）を有する単位時間帯で区画されており、ここでは、１８時から２１時までの３時間の放送時間帯が示されている。放送時間帯表示領域２０２の上端と下端にはスクロールマーク２０２ａ，２０２ｂが配置され、スクロールマーク２０２ａ，２０２ｂで放送時間帯を可変することができる。また、曜日帯表示領域２０３は、ここでは、一日を単位として区画され、例えば本日現在の日付（曜日）を左側端に配置し、一週間分の日付とその曜日が表示されている。なお、ここでは、一週間分の日付を表示するようにしているが、本実施例はこれに限定されるものではなく、数日でも数か月でもよい。
【００２５】
番組表示領域２０１は、既に予約された番組が表示された白地で示す予約済領域２０５と、未予約の領域である斜線部で示す未予約領域２０４とからなる。ここで、以下の説明を簡単とするため、放送時間帯を区画する単位時間帯と日付（曜日）とで定まる交点に位置する番組領域を便宜上「セル」と称するものとする。すなわち、セルの時間幅は、放送時間帯表示領域２０２を区画する単位時間幅であり、番組表示領域２０１は、複数の未予約セル２０６と複数の予約済セル２０７とからなる。そして、各セルは、太枠で強調されたカーソル２０８を例えばリモコン１２０上のカーソル移動キー１２２〜１２５で移動させて選択することができる。つまり、カーソル２０８は、セルを選択するセル選択手段を構成し、単位時間幅を有するセル単位で移動可能である。なお、予約一覧キー１２１が操作されて予約一覧表２００を表示するとき、放送時間帯表示領域２０２の上側単位時間帯は、現在時刻が含まれる単位時間帯であり、カーソル２０８の初期位置は、現在日付と現在時刻が含まれる単位時間帯との交点にあるセル位置（すなわち、番組表示領域の図紙面左上隅のセル）にあるものとする。勿論、本実施例はこれに限定されるものではない。カーソル２０８の初期位置は、予約済セルがあれば、例えば、現在日付と現在時刻を含む単位時間帯との交点のセルに最も近い予約済セルとしてもよい。
【００２６】
予約済領域２０５の予約済セル２０７には、全ての放送種別（地上波デジタル放送，ＢＳデジタル放送，ＣＳデジタル放送）の既に予約された番組の番組情報が混在して表示される。例えば予約番組２０５Ａは地上波デジタル放送の予約番組、予約番組２０５ＢはＢＳデジタル放送の予約番組、予約番組２０５ＣはＣＳデジタル放送の予約番組である。番組情報としては、例えば、放送種別を表す地上Ｄ（地上波デジタル放送），ＢＳ（ＢＳデジタル放送），ＣＳ（ＣＳデジタル放送）や、番組タイトル（番組名），チャンネル番号，放送局名などが表示される。これにより、放送種別を切り替えて、放送種別毎に、予約状況を確認する必要がなく、一瞥して、予約状況を把握することができる。
【００２７】
なお、予約済セルの時間幅は、予約されている番組の放送時間幅で決定される。例えば、予約番組２０５Ａの時間幅は２時間であり、予約番組２０５Ｂの時間幅は１時間である。しかし、カーソル２０８は、前述したように、セルの移動を簡便にするため単位時間幅を有するセル単位でしか移動しないようにしているので、例えば、予約番組２０５Ｂの位置に太枠で強調されたカーソル２０８がある場合、リモコン１２０のカーソル移動キー１２５が押下された場合には、２時間幅（１９：００〜２１：００）の予約番組２０５Ａの１９：００から２０：００の時間帯にカーソルが移動することになる。
【００２８】
図３から明らかなように、カーソル２０８の移動で選択されたセルでは、セル選択に継続する決定キー１２６の押下または所定時間の経過で、該セルに付随して予約可能番組表示ウィンドウ２１０が表示される。そして、予約可能番組表示ウィンドウ２１０内には、前記セルに対応した時間幅（予約状況に関わらずカーソルで選択された単位時間幅、ここでは１時間）に放送される全ての放送種別における全ての番組２１１が表示されている。全ての番組を表示できない場合には、必要に応じて、番組をスクロールするためのアップ用，ダウン用のスクロールマーク２１４が表示される。
【００２９】
カーソル２０８が位置するセルが、例えば未予約セル２０６であれば、該セルに付随する予約可能番組表示ウィンドウ２１０内に、該セルが位置する日付，時間帯に放送される予約可能な番組２１１が一覧表示される。図３では、一例として、予約可能番組表示ウィンドウ２１０内に、番組２１１ａ〜２１１ｄとスクロールマーク２１４が表示されている。番組２１１ａは、ＢＳ放送チャンネル１０１の１時間枠のニュース番組、２１１ｂは、ＣＳ放送チャンネル１００の３０分枠のアニメ番組、２１１ｃは、地上波放送チャンネル１１の３０分枠の報道番組、２１１ｄは、地上波放送チャンネル２１の１時間枠のドラマ番組である。スクロールマーク２１４は、表示しきれない番組がある事を示している。
【００３０】
本実施例では、番組２１１ｄのように単位時間帯（１８：００〜１９：００）を越える番組であっても、該時間帯と重なりがあれば予約可能な番組とし表示する。また、番組２１１ｂ，２１１ｃのように単位時間帯よりも短い番組であっても、予約可能な番組とし表示する。
【００３１】
予約可能番組表示ウィンドウ２１０内に表示されている番組の一つは、例えば太枠で強調されたカーソル２１２が付随している。すなわち、カーソル２１２で現在その番組が予約番組候補の対象であることを示している。そして、該番組の詳細情報が詳細番組情報表示欄２２０に表示される。カーソル２１２の初期位置は、ここでは、予約可能番組表示ウィンドウ２１０内の最初に表示される番組に位置するものとする。ユーザは、詳細番組情報表示欄２２０をみながら、カーソル２１２をリモコン１２０上のカーソル移動キーを操作して移動させながら候補番組を選ぶことができる。候補番組がなければスクロールマーク２１４をカーソル２１２で選び、スクロールして他の番組を表示させ、カーソル２１２で候補番組を選ぶことになる。なお、予約済セルにおける予約可能番組表示ウィンドウ２１０表示については後述する。
【００３２】
次に、本実施例による予約一覧キー操作がなされた場合における、表示制御手段を構成するＣＰＵの予約一覧表の表示処理について、図４を用いて、説明する。
【００３３】
図４（ａ）は、予約一覧表の表示処理を示すフロー図、図４（ｂ）は、図４（ａ）の表示処理に継続する予約可能番組の表示処理を示すフロー図である。
【００３４】
ユーザによって、予約済の録画予約や視聴予約の予約情報を確認するためにリモコン１２０の予約一覧キー１２１が押下されと、リモコンコード受信部１０７は、リモコン１２０から予約一覧キー１２１に対応した予約一覧コマンド（図示せず）を受信し、ＣＰＵ１１０へ供給する。ＣＰＵ１１０は、予約一覧コマンド（図示せず）を受けると、不揮発性メモリ１１２に格納されている予約番組情報や表示を行う際に必要な種々のグラフィックデータ，フォントデータを取得し、画像合成部１０５を介して、予約番組の一覧表である予約一覧表の表示画面をテレビディスプレイ１４０に表示する。
【００３５】
具体的には、図４（ａ）に示す予約一覧キー操作がなされた場合における予約一覧の表示処理において、ＣＰＵ１１０は、まず、ステップ（以下、ステップを「Ｓ」と省略）４１で、現在時刻を基に、予約一覧表の予約軸である放送時間帯軸と曜日帯軸を算出する。つまり、現在時刻が含まれる放送時間帯の単位時間帯を決定し、放送時間帯表示領域２０２の表示情報を算出する。そして、現在日付を基に、曜日帯表示領域２０３の表示情報を算出する。このようにして番組表示領域２０１の日時範囲が定まる。次に、ＣＰＵ１１０は、Ｓ４２で、不揮発性メモリ１１２に格納されている予約番組情報から、番組表示領域２０１に対応した予約番組情報を算出する。また、Ｓ４３で番組表示領域２０１におけるカーソル２０８の位置を算出する。そして、Ｓ４４では、以上のステップを経て算出・取得した、これらの放送時間帯軸／曜日帯軸情報と、これらの軸情報に対応した予約番組情報と、カーソル２０８の位置情報とを用い、かつ、不揮発性メモリ１１２のグラフィックデータ，フォントデータを用いて、画像合成部１０５で図３に示す予約一覧表２２０（但し、ここでは予約可能番組表示ウィンドウ２１０は未表示）をＯＳＤ表示させ、テレビディスプレイ１４０上に予約一覧表の画面を表示させる。そして、予約一覧キー操作による予約一覧表の表示処理を終了する。
【００３６】
予約一覧表の画面表示処理後に、カーソル２０８の操作があれば、ＣＰＵ１１０は、カーソル移動キー１２２〜１２５の方向に応じて隣接セルにカーソル２０８を移動させる。任意のセル（未予約セル２０６または予約済セル２０７）がカーソル２０８で選択され、その後、例えばリモコン１２０の決定キー１２６の押下があれば（もしくは所定時間経過すれば）、ＣＰＵ１１０は、図４（ｂ）に示す予約可能番組の表示処理に移行する。勿論、図４（ａ）の予約一覧表の表示処理後、例えば決定キー１２６の操作があれば、直ちに、予約可能番組の表示処理に移行する。
【００３７】
図４（ｂ）に示す予約可能番組の表示処理に移行すると、ＣＰＵ１１０は、Ｓ５１で、カーソル２０８位置に対応したセル（図３では未予約セル２０６）に付随する予約可能番組表示ウィンドウ２１０に表示する番組情報を、ＲＡＭ１１１に格納されているＥＰＧデータを基に算出する。次に、Ｓ５２で予約可能番組表示ウィンドウ２１０内のカーソル２１２の位置を算出するとともに、Ｓ５３で、カーソル２１２の位置に対応した番組情報の詳細情報（詳細番組情報表示欄２２０用の情報）をＲＡＭ１１１に格納されているＥＰＧデータから取得する。そして、Ｓ５４では、以上のステップを経て算出・取得した、これらのカーソル２０８の位置情報に対応した複数の番組情報と、予約可能番組表示ウィンドウ２１０内のカーソル２１２の位置情報と、カーソル２１２の位置情報に対応した詳細番組情報表示欄２２０用番組詳細情報とを用い、画像合成部１０５を介して、テレビディスプレイ１４０上の予約一覧表の表示画面に、予約可能番組の一覧表の表示画面を重畳させて表示させる。
【００３８】
以上述べたように、本実施例によれば、予約一覧表の表示画面において、番組表示領域２０１に、全ての放送種別の既に予約された番組の番組情報が混在して表示される。従って、放送種別を切り替えて放送種別毎に予約状況を確認する必要がなく、一瞥して予約状況を把握することができる。
【００３９】
次に、予約設定処理について説明する。図５は、図３の予約一覧表の画面表示に継続する予約設定処理画面を説明する図である。
【００４０】
図３の予約一覧表の画面表示中に、未予約セル２０６に付随する予約可能番組表示ウィンドウ２１０に表示された番組２１１の中から、予約したい番組が決定され、ユーザによるリモコン１２０の決定キー１２６の押下があると、ＣＰＵ１１０は、図５に示すように、予約を確認するための予約確認ウィンドウ２４０を表示する。予約確認ウィンドウ２４０には、予約の種類を示す「録画予約２４１」および「視聴予約２４２」と、予約確認を取り消すための「キャンセル２４３」の３つの選択項目が表示されている。ユーザは、これらの３つの項目の中から一つの項目をリモコン１２０のカーソル移動キー１２３，１２５でカーソル２４５を移動させて選択し、決定キー１２６を押下することにより、録画予約または視聴予約または予約動作取消ができる。
【００４１】
このように、本実施例によれば、予約一覧表の画面で予約を行うことができる。このとき、未予約セル毎に予約候補の番組が一覧表示されるので、番組表の画面に戻って、予約したい番組を参照する必要もなく、使い勝手がよく、操作性に優れているといえる。また、予約候補の番組の一覧は、放送種別によらず、全ての番組候補が表示されるので、放送種別毎に予約したい番組を参照する必要もない。
【００４２】
次に、予約変更処理について説明する。図６は、図３の予約一覧表の画面表示に継続する予約変更処理画面を説明する図である。
【００４３】
図３の予約一覧表の画面表示中に、ユーザがリモコン１２０のカーソル移動キー１２２〜１２５を操作し、カーソル２０８で既に予約番組２０５Ｂがある予約済セルを選択したとする。該予約済セルの選択にともない、該予約済セルに付随する予約可能番組表示ウィンドウ２１０が表示される。なお、説明を簡単とするため、該予約済セルに対応する時間帯（１９：００〜２０：００の時間枠）には他番組を予約できる空き時間はないものとする。
【００４４】
ここで、ユーザによって、予約可能番組表示ウィンドウ２１０内に表示される番組２１１ａがカーソル２１２で選択され、決定キー１２６が押下されると、ＣＰＵ１１０は、予約変更確認ウィンドウ２５０を表示する。予約変更確認ウィンドウ２５０には、予約変更を行う「はい２５１」の項目と、変更を取り消す「いいえ２５２」の項目とが表示されている。これらの内のいずれかをカーソル２５５で選択し、決定キー１２６を押下ことにより、予約変更または予約変更の取消ができる。
【００４５】
このように、本実施例によれば、予約一覧表の画面で、予約番組の変更を行うことができる。このとき、予約済セル毎に、該予約済セルが属する単位時間帯の番組が一覧表示されるので、番組表の画面に戻って、予約したい番組を参照する必要もなく、使い勝手がよく、操作性に優れているといえる。また、番組の一覧は、放送種別によらず、全ての番組が表示されるので、放送種別毎に予約したい番組を参照する必要もない。
【００４６】
次に、予約可能番組表示ウィンドウ２１０の表示に関する別形態について説明する。上記実施の形態においては、予約可能番組表示ウィンドウ２１０内には、前記セルに対応した時間幅に放送される全ての放送種別における全ての番組２１１が表示される。そして、その番組の中からユーザが予約したい番組を選択し、録画予約を行うものであった。しかし、該ウィンドウ内には予約可能な全ての放送種別における全ての番組が表示されるので、これら番組が多数ある場合には、該選択にあたって、目的の番組に到達するのに手間を要する可能性が考えられる。そこで、予約可能番組表示ウィンドウ２１０の表示に関する別形態を示す。
【００４７】
図７は、予約可能番組表示ウィンドウ２１０の表示に関する一形態である。
【００４８】
図７では、一例として、予約可能番組表示ウィンドウ２１０内に、放送種別２１３ａ〜２１３ｄが表示されている。番組２１３ａはＢＳ、２１３ｂはＣＳ、２１３ｃは地上デジタル、２１３ｄはケーブルである。
【００４９】
予約可能番組表示ウィンドウ２１０内に表示されている放送種別の一つは、例えば太枠で強調されたカーソル２１２が付随している。すなわち、カーソル２１２で現在その番組が予約候補の放送種別対象であることを示している。カーソル２１２の初期位置は、ここでは、予約可能番組表示ウィンドウ２１０内の最初に表示される放送種別に位置するものとする。ユーザは、カーソル２１２をリモコン１２０上のカーソル移動キーを操作して移動させながら候補放送種別を選ぶことができる。ここで、例えば２１３のaのＢＳがユーザによって選択された場合を図８に示す。
【００５０】
図８では、予約可能番組表示ウィンドウ２１０内に、放送種別ＢＳにおける該時間帯に予約可能である番組２１１ａ〜２１１ｄが表示されている。番組２１１ａは、ＢＳ放送チャンネル１０１のニュース番組、２１１ｂは、ＢＳ放送チャンネル１００のスポーツ番組、２１１ｃは、ＢＳ放送チャンネル２０１のお笑い番組、２１１ｄは、ＢＳ放送チャンネル２０２の映画番組である。
【００５１】
予約可能番組表示ウィンドウ２１０内に表示されている番組の一つは、例えば太枠で強調されたカーソル２１２が付随している。すなわち、カーソル２１２で現在その番組が予約番組候補の対象であることを示している。そして、該番組の詳細情報が詳細番組情報表示欄２２０に表示される。カーソル２１２の初期位置は、ここでは、予約可能番組表示ウィンドウ２１０内の最初に表示される番組に位置するものとする。ユーザは、詳細番組情報表示欄２２０をみながら、カーソル２１２をリモコン１２０上のカーソル移動キーを操作して移動させながら候補番組を選ぶことができる。候補番組がなければスクロールマーク２１４をカーソル２１２で選び、スクロールして他の番組を表示させ、カーソル２１２で候補番組を選ぶことになる。予約設定処理については上述した処理と同様である。
【００５２】
本表示形態によると、予約可能な番組が多数ある場合であっても、ユーザは目的の予約対象番組を迅速に選択することが可能となる。
【００５３】
また、図９は、予約可能番組表示ウィンドウ２１０の表示に関する一形態である。
【００５４】
図９では、一例として、予約可能番組表示ウィンドウ２１０内に、予約可能な番組のジャンル２１５ａ〜２１５ｄが表示されている。２１５ａはニュース、２１５ｂはスポーツ、２１５ｃはお笑い、２１５ｄは映画である。
【００５５】
予約可能番組表示ウィンドウ２１０内に表示されているジャンルの一つは、例えば太枠で強調されたカーソル２１２が付随している。すなわち、カーソル２１２で現在その番組が予約候補のジャンル対象であることを示している。カーソル２１２の初期位置は、ここでは、予約可能番組表示ウィンドウ２１０内の最初に表示されるジャンルに位置するものとする。ユーザは、カーソル２１２をリモコン１２０上のカーソル移動キーを操作して移動させながら候補ジャンルを選ぶことができる。ここで、例えば２１５のaのニュースがユーザによって選択された場合を図１０に示す。
【００５６】
図１０では、予約可能番組表示ウィンドウ２１０内に、ジャンルニュースにおける該時間帯に予約可能である番組２１１ａ〜２１１ｄが表示されている。番組２１１ａは、ＢＳ放送チャンネル１０１のニュースa、２１１ｂは、CS放送チャンネル１００のニュースｂ、２１１ｃは、地上デジタル放送チャンネル０１１のニュースｃ、２１１ｄは、地上デジタル放送チャンネル０２１のニュースｄである。
【００５７】
予約可能番組表示ウィンドウ２１０内に表示されている番組の一つは、例えば太枠で強調されたカーソル２１２が付随している。すなわち、カーソル２１２で現在その番組が予約番組候補の対象であることを示している。そして、該番組の詳細情報が詳細番組情報表示欄２２０に表示される。カーソル２１２の初期位置は、ここでは、予約可能番組表示ウィンドウ２１０内の最初に表示される番組に位置するものとする。ユーザは、詳細番組情報表示欄２２０をみながら、カーソル２１２をリモコン１２０上のカーソル移動キーを操作して移動させながら候補番組を選ぶことができる。候補番組がなければスクロールマーク２１４をカーソル２１２で選び、スクロールして他の番組を表示させ、カーソル２１２で候補番組を選ぶことになる。その後の予約設定処理については上述した処理と同様である。
【００５８】
本表示形態によると、予約可能な番組が多数ある場合であっても、ユーザは目的の予約対象番組を迅速に選択することが可能となる。
【００５９】
図７〜図１０に記載のように、放送種別や番組ジャンルなどの属性情報をユーザが選択することで、限られた領域内で多数の番組から予約対象番組の録画予約する使い勝手が向上する。尚、この属性情報は放送種別や番組ジャンルに限られることなく、ユーザが簡便に目的の録画予約番組に到達できるようなものであればよい。
【図面の簡単な説明】
【００６０】
【図１】本発明の実施例に係わる表示制御装置のブロック図。
【図２】本発明の実施例に係わるリモコンの外観図。
【図３】本発明の実施例による予約一覧表の表示画面を示す図。
【図４】本発明の実施例による予約一覧表の表示処理を示すフロー図。
【図５】本発明の実施例による予約設定処理画面を説明する図。
【図６】本発明の実施例による予約変更処理画面を説明する図。
【図７】本発明の実施例による予約可能番組表示ウィンドウの表示の一形態を示す図。
【図８】本発明の実施例による予約可能番組表示ウィンドウの表示の一形態を示す図。
【図９】本発明の実施例による予約可能番組表示ウィンドウの表示の一形態を示す図。
【図１０】本発明の実施例による予約可能番組表示ウィンドウの表示の一形態を示す図。
【符号の説明】
【００６１】
１００  表示制御装置、１０１  入力端子、１０２  フロントエンド、１０３  分離部、１０４  Ａ／Ｖデコーダ、１０５  画像合成部、１１０  ＣＰＵ、１１１  ＲＡＭ、１１２  不揮発性メモリ、１１３  リモコンコード受信部、１２０  リモコン、１２１  予約一覧キー、１２２〜１２５  カーソル移動キー、１２６  決定キー、１２７  番組表キー、１４０  テレビディスプレイ、２００  予約一覧表、２０１  番組表示領域、２０２  放送時間帯表示領域、２０２ａ，ｂ  スクロールマーク、２０３  曜日帯表示領域、２０４  未予約領域、２０５  予約済領域、２０５Ａ，Ｂ，Ｃ  予約番組、２０６  未予約セル、２０７  予約済セル、２０８  カーソル、２１０  予約可能番組表示ウィンドウ、２１１  番組、２１２  カーソル、２１３  放送種別、２１４  スクロールマーク、２１５  ジャンル、２２０  詳細番組情報表示欄、２４０  予約確認ウィンドウ、２４１  録画予約、２４２  視聴予約、２４３  キャンセル、２４５  カーソル、２５０  予約変更確認ウィンドウ、２５１  はい、２５２  いいえ、２５５  カーソル、
【図１】
2008078695.tif 000003
【図２】
2008078695.tif 000004
【図３】
2008078695.tif 000005
【図４】
2008078695.tif 000006
【図５】
2008078695.tif 000007
【図６】
2008078695.tif 000008
【図７】
2008078695.tif 000009
【図８】
2008078695.tif 000010
【図９】
2008078695.tif 000011
【図１０】
2008078695.tif 000012